(57)【要約】      （修正有）【課題】簡易な構造、かつ低廉で、使用中の敷き布団或いはベッドなど寝床に適用でき、要介護者を寝床に寝かせたまま、要介護者の着替え、排泄のサポートなどするため、要介護者の腰、臀部を簡単に持ち上げることができる介護用エアリフトを提供する。【解決手段】本考案は、上記課題を解決するため、要介護者１０と寝床２０との間に配置され、腰部１０ｂ又は臀部１０ｃの下方に位置し、体を持ち上げないときはシート状に収縮し、体を持ち上げたときには頭部１０ａ側が低く臀部１０ｃ側が高くなるよう気体で膨む袋状のリフト２と、前記リフト２内に前記気体を送る装置であるコンプレッサ３と、からなることを特徴とする介護用エアリフト１とした。【選択図】図１
0003209005.tif 000002
【実用新案登録請求の範囲】
【請求項１】
要介護者と寝床との間に配置され、腰部又は臀部の下方に位置し、体を持ち上げないときはシート状に収縮し、体を持ち上げときには頭部側が低く臀部側が高くなるよう気体で膨む袋状のリフトと、
前記リフト内に前記気体を送る装置と、
からなることを特徴とする介護用エアリフト。
【考案の詳細な説明】
【技術分野】
【０００１】
本考案は、要介護者を寝床に寝かせたまま、要介護者の着替え、排泄のサポートなどするため、要介護者の腰、臀部を簡単に持ち上げることができる介護用エアリフトに関する。
【背景技術】
【０００２】
怪我或いは病気療養中の患者、老人、障害者などの要介護者の自宅介護において、介護者における、要介護者の衣類の着替え、排泄のサポート（排泄補助（トイレへの移動介助、着衣の上げ下げ）、オムツ交換、汚れの拭き取り、洗浄）、入浴などの衛生管理は極めて負担が大きい。
【０００３】
そのなかにあっても、自ら歩行して、トイレ、浴槽に行ける場合には、背負うなどの荷重的な負担は少なくてよい。また、寝たきりであっても、自ら排泄の意志表示をできる場合には、特許文献１、２などの特出な排泄設備を備える介護ベッドを用いることで、介護者は荷重的な負担なしに排泄、入浴をサポートすることができる。
【０００４】
しかしながら、特許文献１、２の介護用ベッドは、特殊な構造で、大掛かりで、初期投資が高いもので、個人的に導入しづらい設備である。
【０００５】
他方、要介護者が排泄の意志表示をできない状態になると、オムツの使用、排泄後の臀部、股部の汚れの拭き取り、洗浄、オムツ交換、着替え作業などが必要になる。特に、寝床に接触する臀部へ排泄物が流れ込んだ場合には、臀部を持ち上げ、汚れを拭き取る必要があるが、片腕で腰部を持ち上げ、片手で拭き取りなどの作業をするのはとても困難で、老々介護の場面では一層困難なものにしており、要介護者の衛生面での問題も生じている。
【先行技術文献】
【特許文献】
【０００６】
【特許文献１】特開２０１６−１７２０５６号公報
【特許文献２】特開２０１０−２６８８７２号公報
【考案の概要】
【考案が解決しようとする課題】
【０００７】
そこで、本考案は、簡易な構造、かつ低廉で、使用中の敷き布団或いはベッドなど寝床に適用でき、要介護者を寝床に寝かせたまま、要介護者の着替え、排泄のサポートなどするため、要介護者の腰、臀部を簡単に持ち上げることができる介護用エアリフトを提供することを目的とする。
【課題を解決するための手段】
【０００８】
本考案は、上記の課題を解決するために、
要介護者と寝床との間に配置され、腰部又は臀部の下方に位置し、体を持ち上げないときはシート状に収縮し、体を持ち上げときには頭部側が低く臀部側が高くなるよう気体で膨む袋状のリフトと、
前記リフト内に前記気体を送る装置と、
からなることを特徴とする介護用エアリフト。
とした。
【考案の効果】
【０００９】
本考案は、上記構成であるので、使用中の敷き布団或いはベッドなど寝床に適用でき、要介護者を寝床に寝かせたまま、要介護者の腰、臀部を簡単に持ち上げることができ、容易に、要介護者の着替え、排泄をサポートし、要介護者の衛生を保持することができる。
【図面の簡単な説明】
【００１０】
【図１】本考案である介護用エアリフトの使用状態における、（Ａ）稼働前の側面模式図、（Ｂ）稼働中の縦断面模式図である。
【図２】図１（Ｂ）のＡ−Ａ位置における断面模式図（腕省略）である。
【考案を実施するための形態】
【００１１】
以下、添付の図面を参照し、本考案の実施の形態の一例について詳細に説明する。なお、本考案は下記実施例に限定されるものではない。
【実施例１】
【００１２】
図１、２に示すように、本考案である介護用エアリフト１は、リフト２と、リフト２の内部に気体を送る装置であるコンプレッサ３、さらに必要に応じて、バルブ４と、ポンプ５と制御装置７と、湿度計８を備えてなる。
【００１３】
リフト２は、要介護者１０と寝床２０との間に配置され、かつ腰部１０ｂ又は臀部１０ｃの下方に位置する。なお、ここでは、要介護者１０と寝床２０との間にシーツ２０ａが介在する。
【００１４】
そして、図１（Ｂ）に示すように、リフト２は、稼働時には送られてくる気体で、頭部１０ａ側が低く臀部１０ｃ側が高く膨らみ、要介護者１０の身長方向の縦断面において、三角乃至台形形状に膨らむ袋状の本体２ｅと、本体２ｅに設けられ、内部に連通し、送気３ｃ、排気５ｂが通り、管６及び送気路３ａを介してコンプレッサ３に連通するとともに、管６及び排気路５ａを介してポンプ５に連通する、穴２ａとからなる。リフト２の本体２ｅの素材としては、例えばゴムなどが好適である。
【００１５】
本体２ｅを縦断面で三角乃至台形形状とし、頭部１０ａ側が低く臀部１０ｃ側が高くなるよう膨らませることにより、要介護者の首、腰への変形負担を軽減することができる。腰のみを持ち上げると、腰、首などを骨折する恐れがあるので、持ち上げるときは、腰部１０ｂ又は臀部１０ｃから頭部１０ａまでなだらかな傾斜で保持することが好ましい。
【００１６】
さらに好ましくは、図２に示すように、要介護者１０側の面は波形状２ｂとし、一側面にはブロー３ｅが吹き出す送風口２ｃを設け、送風口２ｃは、送風路３ｂを介してコンプレッサ３に連通する。また、内部空間は、複数の区画２ｄに分割する。
【００１７】
表面を波形状２ｂとすることで、ブロー３ｅを流しやすくし、介護用エアリフト１が位置する要介護者１０の部分の蒸れを改善する。ブロー３ｅは、後述の湿度計８の数値に基づき、又はタイマーで自動制御され、或いは介護者の介護作業時に手動で行うことができる。
【００１８】
また、内部空間を複数の区画２ｄに分けることで、異なる区画２ｄに送気３ｃを充填して、介護用エアリフト１を扁平膨張させ、要介護者１０の寝返りを補助して、床ずれを防止することができる。
【００１９】
このようにしてなるリフト２は、図１（Ａ）に示すように、非稼働時はシート状に収縮し、稼働時には図１（Ｂ）、図２に示すように、要介護者１０の臀部１０ｃを持ち上げ、寝床２０と臀部１０ｃとに空間９を形成する。それにより、介護者が、簡単に、要介護者１０の着替え、オムツ交換、股部１０ｄの拭き取りなどの排泄のサポートをすることができる。
【００２０】
コンプレッサ３は、稼働時、空気を圧縮して、送気路３ａ及び管６を通し、穴２ａからリフト２の本体２ｅ内部に充填する。空気の充填で、本体２ｅは図１（Ｂ）のように、断面三角形に膨らみ、要介護者１０の臀部１０ｃを寝床２０から浮かせ、排泄サポートを容易にする。
【００２１】
また、コンプレッサ３は、送風路３ｂを介して、本体２ｅの表面の送風口２ｃに接続し、リフト２の本体２ｅの表面を流れるブロー３ｅのための圧縮空気を送る。なお、コンプレッサ３に換え、窒素など圧縮気体を充填したボンベを備えてもよい。ボンベであれば、リフト２へのガスの充填が短時間で行うことができる。他方、コンプレッサ３によるリフト２の膨化では、時間がかかるものの要介護者１０の身体を優しく持ち上げることができるため、要介護者１０への身体への衝撃が小さい。
【００２２】
バルブ４は、リフト２の本体２ｅ内への送気３ｃ、及び排気５ｂを切り替える弁である。制御装置７により自動制御も、また介護者により手動切り替えも可能である。
【００２３】
ポンプ５は、排泄サポートなど臀部の持ち上げの後、リフト２の本体２ｅ内に充填されたガスを急速に排気し、臀部１０ｃを寝床２０に戻す作業を補助する。自然排気であってもよいが、時間を要するため、吸引、真空ポンプなどのポンプ５を用いるとよい。
【００２４】
リフト２への充填ガスをボンベで供給する場合には、ポンプ５で吸引されたガスは排気せず、ボンベに戻すとよい。その場合には、ポンプ５に換え、コンプレッサ３を逆向きとして使用してもよい。ポンプ５を備えず、コンプレッサ３のみでリフト２への充填と引き抜きをする場合には、バルブ４も必要なく、コンプレッサ３の気体の流す向きを制御すればよい。一台のコンプレッサ３で、送気３ｃ、排気５ｂを送れば、装置全体が一層コンパクトになり、低廉となる。
【００２５】
制御装置７は、コンプレッサ３、バルブ４、ポンプ５の駆動を制御する。例えば、制御装置７は、気体をリフト２の本体２ｅに送るコンプレッサ３を駆動させるための充填ボタン７ａ、リフト２の本体２ｅに充填されたガスを引き抜くためのポンプ５を駆動させる脱気ボタン７ｂ、ブロー３ｅを流すためコンプレッサ３を駆動させるためのブローボタン７ｃ、リフト２の本体２ｅの内部の異なる区画に送気３ｃするための寝返りボタン７ｄなどを備える。
【００２６】
制御装置７は、介護者が各種ボタンを押すことで、各種信号を各装置に送り、所望の制御をプログラムに従って行う。例えば、図１（Ｂ）に示すように、リフト２に送気３ｃを送る場合には、制御装置７は信号７ｆをバルブ４に送り、送気３ｃの流れを確保する位置にバルブ４を移動させる。また、信号７ｅをコンプレッサ３に送り、コンプレッサ３を起動させ、送気３ｃを送る。
【００２７】
リフト２から充填ガスを引き抜く場合には、制御装置７は信号７ｆをバルブ４に送り、排気５ｂの流れを確保する位置にバルブ４を移動させる。また、信号７ｇをポンプ５に送り、ポンプ５を起動させ、リフト２の本体２ｅから気体を引き抜く。
【００２８】
ブロー３ｅを流す場合には、制御装置７は信号７ｆをバルブ４に送り、送気３ｃの流れを止める。また、信号７ｅをコンプレッサ３に送り、コンプレッサ３を起動させ、送風３ｄを送る。
【００２９】
湿度計８は、要介護者１０とリフト２との間の湿度を測定し、湿度の測定値に対応する信号８ａを制御装置に送る。制御装置７は、予め定められた湿度値に到達した場合、自動でブロー３ｅを吹き出し、要介護者１０とリフト２との間を定期的に喚起し、要介護者１０の蒸れを防止する。ブロー３ｅは測定値による制御のほか、タイマー制御、介護者の手動操作で流すことができる。
【００３０】
このようにしてなる介護用エアリフト１は、予め寝床２０に載置しておき、腰部１０ｂ、臀部１０ｃの持ち上げが必要なとき起動させる。腰部１０ｂ、臀部１０ｃの持ち上げに利用しない場合でも、ブロー３ｅで要介護者１０と寝床２０との間の換気、湿度調節、またリフト２の本体２ｅの区画２ｄへの充填量、タイミングをタイマー、手動で制御し、予め定められた膨張と収縮を繰り返すことで、要介護者の寝返りを補助し、寝たきり要介護者１０の床ずれを低減、防止し、介護作業の軽減、要介護者１０の健康維持をサポートすることができる。
【符号の説明】
【００３１】
１      介護用エアリフト
２      リフト
２ａ    穴
２ｂ    波形状
２ｃ    送風口
２ｄ    区画
２ｅ    本体
３      コンプレッサ
３ａ    送気路
３ｂ    送風路
３ｃ    送気
３ｄ    送風
３ｅ    ブロー
４      バルブ
５      ポンプ
５ａ    排気路
５ｂ    排気
６      管
７      制御装置
７ａ    充填ボタン
７ｂ    脱気ボタン
７ｃ    ブローボタン
７ｄ    寝返りボタン
７ｅ    信号
７ｆ    信号
７ｇ    信号
８      湿度計
８ａ    信号
９      空間
１０    要介護者
１０ａ  頭部
１０ｂ  腰部
１０ｃ  臀部
１０ｄ  股部
２０    寝床
２０ａ  シーツ
【図１】
0003209005.tif 000003
【図２】
0003209005.tif 000004
【手続補正書】
【提出日】平成28年12月7日(2016.12.7)
【手続補正１】
【補正対象書類名】実用新案登録請求の範囲
【補正対象項目名】全文
【補正方法】変更
【補正の内容】
【実用新案登録請求の範囲】
【請求項１】
要介護者と寝床との間に配置され、腰部又は臀部の下方に位置し、体を持ち上げないときはシート状に収縮し、体を持ち上げたときには頭部側が低く臀部側が高くなるよう気体で膨む袋状のリフトと、
前記リフト内に前記気体を送る装置と、
からなることを特徴とする介護用エアリフト。
【手続補正２】
【補正対象書類名】明細書
【補正対象項目名】０００８
【補正方法】変更
【補正の内容】
【０００８】
本考案は、上記の課題を解決するために、
要介護者と寝床との間に配置され、腰部又は臀部の下方に位置し、体を持ち上げないときはシート状に収縮し、体を持ち上げたときには頭部側が低く臀部側が高くなるよう気体で膨む袋状のリフトと、
前記リフト内に前記気体を送る装置と、
からなることを特徴とする介護用エアリフト。
とした。